(57)【特許請求の範囲】
【請求項１】
車体パネルの貫通穴に内嵌係止する車体係止部を設けた車体係止用筒部材と、該車体係止用筒部材の一端側に連結するワイヤハーネス挿通用筒部材とを組み合わせてなり、
前記車体係止用筒部材の前記一端側に周方向に間隔をあけて複数の凹部または複数の穴を設けている一方、
前記ワイヤハーネス挿通用筒部材の連結側の一端に前記凹部または前記穴に嵌合する凸部を１以上設け、かつ、該凸部の形成位置から他端側へ中心軸線を湾曲させた屈曲筒部を設け、
前記ワイヤハーネス挿通用筒部材の屈曲筒部の屈曲方向が所要方向となるように前記凸部を選択した前記凹部または前記穴に嵌合する構成としていることを特徴とするグロメット。    
【請求項２】
前記車体係止用筒部材に前記複数の凹部を設けるグロメットでは、該車体係止用筒部材の連結側の前記一端の端面に設けた開口の内周面に周方向に間隔をあけて前記複数の凹部を設け、これら複数の凹部の間を複数の係止用突片とし、前記開口の周縁を該複数の係止用突片と前記複数の凹部で囲む一方、
前記ワイヤハーネス挿通用筒部材の連結側の一端に厚肉とした環状係止部を設けると共に、該環状係止部に隣接した外周面に前記凹部に嵌合する前記凸部を１以上設け、
前記ワイヤハーネス挿通用筒部材の前記環状係止部で前記車体係止用筒部材の前記開口の周縁の前記係止用突片を押し開いて該環状係止部を前記車体係止用筒部材内に挿入し、挿入後に原位置に戻る前記係止用突片で前記環状係止部を係止している請求項１に記載のグロメット。
【請求項３】
車体パネルの貫通穴に内嵌係止する車体係止部を外周面に環状に凹設した車体係止用筒部材と、該車体係止用筒部材の一端側に連結するワイヤハーネス挿通用筒部材とを組み合わせる二体物であり、
前記車体係止用筒部材は一側に連結筒部を設け、該連結筒部に拡径筒部の縮径端を連結し、該連結筒部の内周面に軸線方向に間隔をあけて複数の環状凹部または螺旋凹部を設ける一方、
前記ワイヤハーネス挿通用筒部材の連結側の一端に前記車体係止用筒部材の連結筒部の先端開口から挿入して前記拡径筒部の内周面に係止する拡径鍔部を設け、該拡径鍔部に連続した連結筒部の外周面に前記環状凹部または螺旋凹部に嵌合する環状凸部または螺旋凸部を設け、該連結筒部から他端側へ中心軸線を湾曲させた屈曲筒部を設け、
前記環状凸部または螺旋凸部の外径より前記環状凹部または螺旋凹部の内径を小さくして圧入できるようにし、
前記ワイヤハーネス挿通用筒部材の拡径鍔部を前記車体係止用筒部材に挿入して拡径筒部の内周面に重ねると共に、前記環状凸部または螺旋凸部を前記環状凹部または螺旋凹部に嵌合して回転し、前記屈曲筒部の屈曲方向を無段階で調整し、所要方向となる位置で回転停止して圧入保持する構成としているグロメット。
【発明の詳細な説明】
【技術分野】
【０００１】
本発明は、車両に配索するワイヤハーネスに外装して車体パネルの貫通穴に装着するグロメットに関し、詳しくは、右ハンドル車と左ハンドル車とでグロメットに貫通させるワイヤハーネスの屈曲方向が右向きと左向きとに相違しても共用可能とするものである。
【背景技術】
【０００２】
この種のグロメットは、図１４に示すように、ゴムまたはエラストマーからなる弾性体で成形され、車体パネルＰに設けた貫通穴Ｈの内周面を通す位置でワイヤハーネスＷ／Ｈの外周面に装着される。該グロメット１００はワイヤハーネスＷ／Ｈを密着して挿通する小径筒部１０１の一端から傾斜筒部１０２が突出し、該傾斜筒部１０２の外周面に設けた環状の車体係止凹部１０３に貫通穴Ｈの周縁を落とし込んで係止している。
ワイヤハーネスを配索する自動車が、右ハンドル車と左ハンドル車と相違すると、ワイヤハーネスに外装するグロメット１００の小径筒部１０１の曲げ方向が図１４（Ａ）（Ｂ）に示すように左右対称方向になる場合が多い。また、右ハンドル車同士であっても車種の相違によって、同一箇所に配索するワイヤハーネスでグロメットの筒部の曲げ方向が相違する場合もある。
【０００３】
グロメットを装着する貫通穴が同一の大きさであっても、グロメットのワイヤハーネスを密着して挿通する筒部の方向が３０度以上相違すると同一のグロメットを用いることはできず、筒部の曲げ方向を相違させたグロメットを製造している。そのため、グロメットの品番が多くなり、製造コストが高くなると共に管理コストも増大する問題がある。
【０００４】
前記問題に鑑みて、曲げ方向が左右相違する場合にも共用で用いることができるグロメットが提案されている。例えば、本出願人の先願に係わる特開平８−１０６８３１号公報で提案したグロメット１２０は図１５（Ａ）（Ｂ）に示すように、車体係止凹部１０３を設けた傾斜筒部１０２に蛇腹筒部１２１を介して小径筒部１０１を同一軸線上に設け、該小径筒部１０１に係止片１２２を突設し、該係止片１２２に係止穴１２４を設けると共に、傾斜筒部１０２の外周面に係止突起１２５を設けている。該グロメットでは、小径筒部１０１を所要方向に曲げ、該小径筒部１０１から突設した係止片１２２の係止穴１２４を係止突起１２５に挿入係止して小径筒部１０１を所要の曲げ姿勢に保持している。
【先行技術文献】
【特許文献】
【０００５】
【特許文献１】特開平８−１０６８３１号公報
【発明の概要】
【発明が解決しようとする課題】
【０００６】
前記図１５に示すグロメットでは、小径筒部１０１を傾斜筒部１０２に対して所要方向に曲げるために蛇腹筒部１２１を介在させる必要がある。よって、車体パネルＰの貫通穴Ｈに装着した位置から小径筒部１０１を曲げる位置までに、蛇腹筒部１２１の長さ以上の寸法が必要となる。そのため、車体パネルＰに近接して外部干渉材があり、小径筒部１０１を車体パネルＰに近接させて急激に曲げる必要がある場合には、採用できない問題がある。また、係止片１２２の係止穴１２４に係止突起１２５を挿入係止するだけであるため、ワイヤハーネスに引っ張り負荷が作用すると、係止が外れ、小径筒部を曲げ方向に保持できなくなるおそれもある。
【０００７】
本発明は車体パネルに装着する拡径筒部とワイヤハーネスを密着して挿通する小径筒部との間に蛇腹筒部を必要とせず、かつ、小径筒部を所要方向へ安定して曲げることができるグロメットを提供することを課題としている。
【課題を解決するための手段】
【０００８】
前記課題を解決するため、第１の発明として、車体パネルの貫通穴に内嵌係止する車体係止部を設けた車体係止用筒部材と、該車体係止用筒部材の一端側に連結するワイヤハーネス挿通用筒部材とを組み合わせてなり、
前記車体係止用筒部材の前記一端側に周方向に間隔をあけて複数の凹部または複数の穴を設けている一方、
前記ワイヤハーネス挿通用筒部材の連結側の一端に前記凹部または前記穴に嵌合する凸部を１以上設け、かつ、該凸部の形成位置から他端側へ中心軸線を湾曲させた屈曲筒部を設け、
前記ワイヤハーネス挿通用筒部材の屈曲筒部の屈曲方向が所要方向となるように前記凸部を選択した前記凹部または前記穴に嵌合する構成としていることを特徴とするグロメットを提供している。
【０００９】
具体的には、前記車体係止用筒部材に前記複数の凹部を設けるグロメットでは、該車体係止用筒部材の連結側の前記一端の端面に設けた開口の内周面に周方向に間隔をあけて前記複数の凹部を設け、これら複数の凹部の間を複数の係止用突片とし、前記開口の周縁を該複数の係止用突片と前記複数の凹部で囲む一方、
前記ワイヤハーネス挿通用筒部材の連結側の一端に厚肉とした環状係止部を設けると共に、該環状係止部に隣接した外周面に前記凹部に嵌合する前記凸部を１以上設け、
前記ワイヤハーネス挿通用筒部材の前記環状係止部で前記車体係止用筒部材の前記開口の周縁の前記係止用突片を押し開いて該環状係止部を前記車体係止用筒部材内に挿入し、挿入後に原位置に戻る前記係止用突片で前記環状係止部を係止している。
【００１０】
また、前記車体係止用筒部材に前記複数の穴を設けるグロメットでは、該車体係止用筒部材の前記一端側の筒部に周方向に間隔をあけて複数の穴を設ける一方、
前記ワイヤハーネス挿通用筒部材の連結側の筒部の外周面に前記穴に嵌合する前記凸部を１以上設けている。凸部の個数は１個でもよいし穴の個数以下の複数個数でもよい。
【００１１】
前記第１の発明のグロメットでは、ワイヤハーネス挿通用筒部材の屈曲筒部が所要方向に向くように、外周面に突設した凸部を車体係止用筒部材に設けた複数の凹部または複数の穴から選択した特定の凹部または穴に嵌合して連結するだけで、ワイヤハーネスの曲げ方向に応じた方向に屈曲筒部が屈曲したグロメットとすることができる。
よって、左右対称方向に屈曲筒部を屈曲させた右ハンドル車と左ハンドル車に共用できるグロメットとすることができ、さらに、例えば、曲げ方向が左右対称に限定されず、３０度の所定間隔相違する場合にも共用で用いることができる。
【００１２】
前記車体係止用筒部材およびワイヤハーネス挿通用筒部材はいずれもゴムまたはエラストマーからなる弾性素材で成形している。
前記車体係止用筒部材に設ける凹部または穴の個数は１２〜２個の範囲で設けることが好ましい。即ち、周方向に３０度間隔をあけて１２個設けると、ワイヤハーネス挿通用筒部材の曲げ方向を３０度づつ相違させることができる。また、周方向に１８０度間隔をあけて２個設けると、ワイヤハーネス挿通用筒部材の曲げ方向を１８０度相違でき、右向き、左向きに変えることができる。
一方、ワイヤハーネス挿通用筒部材の外周面に設ける凸部は１個でも良いし複数個でも良いが、前記車体係止用筒部材に設ける前記凹部または穴の個数以下としている。
【００１３】
前記ワイヤハーネス挿通用筒部材に設ける凸部は外周面から直方体状に突設しているが、車体係止用筒部材に設ける凹部の両側面と当接する凸部の両側面を傾斜面とし、凹部または穴に凸部を圧入係止できるようにすることが好ましい。
【００１４】
また、第２の発明として、車体パネルの貫通穴に内嵌係止する車体係止部を外周面に環状に凹設した車体係止用筒部材と、該車体係止用筒部材の一端側に連結するワイヤハーネス挿通用筒部材とを組み合わせる二体物であり、
前記車体係止用筒部材は一側に連結筒部を設け、該連結筒部に拡径筒部の縮径端を連結し、該連結筒部の内周面に軸線方向に間隔をあけて複数の環状凹部または螺旋凹部を設ける一方、
前記ワイヤハーネス挿通用筒部材の連結側の一端に前記車体係止用筒部材の連結筒部の先端開口から挿入して前記拡径筒部の内周面に係止する拡径鍔部を設け、該拡径鍔部に連続した連結筒部の外周面に前記環状凹部または螺旋凹部に嵌合する環状凸部または螺旋凸部を設け、該連結筒部から他端側へ中心軸線を湾曲させた屈曲筒部を設け、
前記環状凸部または螺旋凸部の外径より前記環状凹部または螺旋凹部の内径を小さくして圧入できるようにし、
前記ワイヤハーネス挿通用筒部材の拡径鍔部を前記車体係止用筒部材に挿入して拡径筒部の内周面に重ねると共に、前記環状凸部または螺旋凸部を前記環状凹部または螺旋凹部に嵌合して回転し、前記屈曲筒部の屈曲方向を無段階で調整し、所要方向となる位置で回転停止して圧入保持する構成としているグロメットを提供している。
【００１５】
前記のように、車体係止用筒部材の連結筒部の内周面に設けた環状凹部または螺旋凹部に、ワイヤハーネス挿通用筒部材の連結筒部の外周面に設けた環状凸部または螺旋凸部を嵌合し、屈曲筒部が所要の方向に曲がる位置まで回転させ、所要位置で環状凸部または螺旋凸部を環状凹部または螺旋凹部に圧入することで、屈曲筒部を所定方向に向けて固定している。このように、第２の発明のグロメットはワイヤハーネス挿通用筒部材の屈曲方向を無段階に調整できる利点を有する。よって、屈曲方向が相違する毎にグロメットを新設する必要はなく、グロメットの部品点数を大幅に削減でき、コスト低下を図ることができる。
【００１６】
なお、第１、第２の発明のグロメットの車体係止用筒部材はいずれもゴムまたはエラストマーのみからなる筒部材とし、前記ワイヤハーネス挿通用筒部材と連結する側と反対側に大径部分があり、該大径部分の外周面に環状の車体係止凹部を設けた形状としている。あるいは、前記大径部分に環状の樹脂インナーを内嵌固定し、前記大径部分の先端から突出させた樹脂インナーの外周に車体係止爪を突設した形状としてもよい。また、ワイヤハーネス挿通用筒部材の屈曲筒部の先端は２分割してテープ巻き舌片を設けることが好ましい。
【発明の効果】
【００１７】
前記のように、第１の発明および第２の発明のグロメットは、いずれも、ワイヤハーネス挿通筒部材をワイヤハーネスの屈曲方向に応じて屈曲させることができ、屈曲方向が相違しても共用することができる。よって、ワイヤハーネスの屈曲方向に応じた専用のグロメットを設ける必要はなく、グロメットの製造コストの低減、グロメットの部品点数を大幅削減およびグロメットの管理コストの低減を図ることができる。
【図面の簡単な説明】
【００１８】
【図１】第１実施形態のグロメットを示す分解斜視図である。
【図２】図１のグロメットの分解断面図である。
【図３】前記グロメットの向きを一方向として組み立てた状態を示し、（Ａ）は斜視図、（Ｂ）は断面図である。
【図４】前記グロメットを他方向として組み立てた状態の断面図である。
【図５】第１実施形態の変形例を示し、（Ａ）は車体係止用筒部材の側面図、（Ｂ）はワイヤハーネス挿通用筒部材の断面図である。
【図６】前記変形例の要部断面説明図である。
【図７】第２実施形態のグロメットの分解斜視図である。
【図８】（Ａ）（Ｂ）は第２実施形態の要部断面図である。
【図９】第２実施形態のグロメットの組み立て状態を示す断面図である。
【図１０】第２実施形態の第１変形例を示す分解斜視図である。
【図１１】（Ａ）（Ｂ）は前記第２実施形態の第２変形例の要部拡大断面図である。
【図１２】第３実施形態のグロメットの分解断面図である。
【図１３】（Ａ）（Ｂ）は第３実施形態のグロメットの要部拡大図である。
【図１４】（Ａ）（Ｂ）は従来例を示す断面図である。
【図１５】（Ａ）（Ｂ）は他の従来例を示す側面図である。
【発明を実施するための形態】
【００１９】
以下、本発明の実施形態のグロメットを図面を参照して説明する。
図１乃至図４に示す第１実施形態のグロメットは、同一車種で、右ハンドル車と左ハンドル車とに共用するものである。
グロメット１は車体係止用筒部材２とワイヤハーネス挿通用筒部材３とを連結して形成している。ワイヤハーネス挿通用筒部材３は連結筒部３０と、該連結筒部３０から屈曲する屈曲筒部３１とからなり、右ハンドル車用では屈曲筒部３１を右向きに屈曲させる必要があり、左ハンドル車用では屈曲筒部３１を左向きに屈曲させる必要がある。
【００２０】
前記車体係止用筒部材２は、ゴムまたはエラストマーからなり、ワイヤハーネス挿通用筒部材３との連結側となる一端面２８は車体パネルの貫通穴の形状と一致させた略半円形状とし、その中央に連結用の開口２２を設けている。該車体係止用筒部材２には開口２２に連続する周壁２４の内部に環状係止部収容室２３を設け、かつ、周壁２４の厚肉部分の外周面に環状に連続した車体係止凹部２５を設け、該車体係止凹部２５に車体パネルＰの貫通穴Ｈの周縁を落としこんで車体に固定するようにしている。該車体係止凹部２５の形成位置から先端側に台円錐筒形状の挿入筒部２６を設けている。
【００２１】
前記車体係止用筒部材２の一端面２８の中央部に設けた開口２２には、その内周面に周方向に一定間隔をあけて複数の凹部２０を設け、該凹部２０の間に複数の係止用突片２１を設けている。各凹部２０は四角形状の切欠としている。本実施形態では凹部２０は３０度間隔をあけて１２個設けているが、１８０度間隔をあけて凹部２０を直径方向に対向して２個設けてもよい。
【００２２】
前記ワイヤハーネス挿通用筒部材３は、車体係止用筒部材２と同一材のゴムまたはエラストマーから成形しており、真っすぐな連結筒部３０に９０度屈曲させた屈曲筒部３１を連続させている。連結筒部３０の先端に厚肉とした環状係止部３２を設け、該環状係止部３２に隣接した外周面の１カ所に１つの凸部３３を設けている。環状係止部３２は車体係止用筒部材２の環状係止部収容室２３内に丁度収容保持される形状とし、かつ、凸部３３は前記凹部２０に嵌合され、両側の係止用突片２１で挟持固定される直方体形状の突起としている。
【００２３】
前記環状係止部３２は車体係止用筒部材２の開口２２の周縁の係止用突片２１を押し開くようにして環状係止部収容室２３内に挿入し、挿入後に元に戻る係止用突片２１で抜け出ないようにしている。
この状態で凸部３３は１２個の凹部２０から選択した１つの凹部２０に嵌合固定するようにしている。図３に示すように、右ハンドル車では凹部２０Ａに凸部３３を嵌合すると、屈曲筒部３１が右方向に屈曲するようにしている。図４に示すように、左ハンドル車では凹部２０Ａと直径方向で対向する凹部２０Ｂに凸部３３を嵌合すると、屈曲筒部３１が左方向に屈曲するようにしている。
【００２４】
ワイヤハーネス挿通用筒部材３の内径は挿通するワイヤハーネスの外径より小さくし、拡げ治具（図示せず）で拡げてワイヤハーネスを挿通し、挿通後に屈曲筒部３１の先端側からワイヤハーネスの外周面にかけて粘着テープ（図示せず）を巻き付けて固定するようにしている。
【００２５】
前記のように、車体係止用筒部材２とワイヤハーネス挿通用筒部材３とを組み合わせ、ワイヤハーネス挿通用筒部材３の凸部３３を、車体係止用筒部材２の凹部２０を選択して嵌合するだけで、図３と図４に示すように、ワイヤハーネス挿通用筒部材３の屈曲筒部３１の曲げ方向を所要の方向へと曲げたグロメットとすることができる。
また、凸部３３を任意の凹部２０に嵌合した状態で、ワイヤハーネス挿通用筒部材３の環状係止部３２が車体係止用筒部材２の環状係止部収容室２３内に内嵌保持され、凹部２０の間に形成される係止用突片２１で抜け出ないように係止される。
【００２６】
グロメット１はワイヤハーネス挿通用筒部材３にワイヤハーネスＷ／Ｈを通した後に該ワイヤハーネス挿通用筒部材３と車体係止用筒部材２とを前記のように連結係止してもよいし、ワイヤハーネス挿通前にワイヤハーネス挿通用筒部材３と車体係止用筒部材２とを連結しておいてもよい。
【００２７】
前記グロメット１を取り付けたワイヤハーネスＷ／Ｈを自動車に配索し、車体パネルＰの貫通穴Ｈに装着する際は、車体係止用筒部材２の先端の挿入筒部２６を貫通穴Ｈに挿入し、車体係止凹部２５に貫通穴Ｈの周縁部を落とし込んで係止している。
このように、車体パネルＰにグロメット１を取り付けた状態で、車体パネルＰに近接した位置で屈曲筒部３１を右方向または左方向に屈曲させることができる。
【００２８】
前記のように、本発明のグロメット１では、ワイヤハーネス挿通用筒部材３を車体係止用筒部材２に連結する際に、屈曲筒部３１の曲げ方向が所要方向となるように、凹部２０を選択して凸部３３を嵌合すればよいだけである。よって、１８０度対向位置の凹部２０Ａと２０Ｂのいずれか一方に凸部３３を嵌合するだけで右ハンドル車用、他方に嵌合するだけで左ハンドル車用のグロメットとすることができる。
さらに、左右ハンドル車に限定されず、本実施形態のグロメットでは、車体係止位置を中心としてワイヤハーネスの曲げ方向が３０度づつ相違する場合にも用いることができる。
【００２９】
図５および図６に第１実施形態の変形例を示す。
車体係止用筒部材２の形状は同一とし、図５（Ａ）に示すように、凹部２０は３０度間隔で１２個設けている。
ワイヤハーネス挿通用筒部材３に設ける凸部３３は図５（Ｂ）に示すように、９０度間隔をあけた４個とし、基準となる凸部３３Ａを所要位置の凹部２０（例えば２０Ａ）に嵌合した後、他の３個の凸部３３を対応位置の凹部２０に嵌合し、嵌合状態を安定させている。
【００３０】
かつ、凸部３３は図６に拡大して示すように、凸部３３の両側面３３ａ、３３ｂを傾斜したテーパ面としている。一方、係止用突片２１で挟まれた凹部２０は幅Ｄとし、凸部３３の挿入端の幅はＤより小さくし、次第に拡げてＤより大きくしている。これにより、凹部２０の両側の係止用突片２１の側面に対して凸部３３の両側面３３ａ、３３ｂが圧接し、ガタつきなく凸部３３を凹部２０に嵌合係止できるようにしている。
他の構成は第１実施形態と同様であるため、同一符号を付して説明を省略する。
なお、凸部３３の個数は４個としているが、凹部２０の個数と同数とし、すべての凹部２０に凸部３３を嵌合してもよい。
【００３１】
図７乃至図９に第２実施形態を示す。
第２実施形態のグロメット１では、車体係止用筒部材２の一端側は開口１１とし、該開口１１に隣接する周壁１２に周方向に６０度間隔をあけて２個の穴１３Ａ、１３Ｂを設けている。該周壁１２に連続する周壁の外周面に環状の車体係止凹部２５を設けている。
一方、ワイヤハーネス挿通用筒部材３の連結筒部３０の外周面に１つの凸部３３を設け、２個の穴１３Ａと１３Ｂのいずれか一方に内面側から挿入係止するようにしている。
即ち、ワイヤハーネス挿通用筒部材３の連結筒部３０を車体係止用筒部材２の開口１１から周壁１２内に差し込み、屈曲筒部３１の屈曲方向が所要方向となるように、凸部３３を選択した穴１３Ａまたは１３Ｂに挿入して連結している。これにより、屈曲筒部３１の向きを６０度変えることができる。
【００３２】
また、図８（Ａ）に示す用に凸部３３の両側面をテーパ面とし、図８（Ｂ）に示すように、穴１３Ａと１３Ｂの内周面もテーパ面とすることで、穴１３Ａまたは１３Ｂに凸部３３をガタつき無く嵌合係止することができる。
【００３３】
図１０に第２実施形態の第１変形例のグロメットを示す。
該第１変形例では、ワイヤハーネス挿通用筒部材３に設ける凸部３３は３０度間隔をあけた１２個とし、車体係止用筒部材２に設ける穴１３も３０度間隔をあけた１２個としている。このように、すべての穴１３に凸部３３を嵌合する構成とすると、周方向の全体で安定した結合を図ることができる。
他の構成および作用は第２実施形態と同様であるため同一符号を付して説明を省略する。
【００３４】
図１１（Ａ）（Ｂ）に第２実施形態の第２変形例のグロメットを示す。
第２変形例のグロメットは前記第１変形例のグロメットと同様に、凸部３３および穴１３とも３０度間隔で１２個設けている。相違点は、凸部３３は歯車形状に突設し、凸部３３は台形状としている。一方、車体係止用筒部材２に設ける穴１３も凸部３３がガタつきなく嵌合できるように台形状のテーパ穴としている。
他の構成および作用は第２実施形態と同様であるため、同一符号を付して説明を省略する。
【００３５】
図１２および図１３に第３実施形態のグロメットを示す。
第１、第２実施形態と同様に、車体係止用筒部材２とワイヤハーネス挿通用筒部材３との組み合わせからなり、車体係止用筒部材２に設ける凹部とワイヤハーネス挿通用筒部材３に設ける凸部の形状を相違させ、角度調節を無段階で行えるようにしている。
【００３６】
車体係止用筒部材２は一側に連結筒部４０を備え、該連結筒部４０に拡径筒部４１の縮径端を連結し、該拡径筒部４１の大径側の外周面に環状の車体係止凹部２５を設けている。
前記連結筒部４０の内周面に螺旋凹部４２を設けている。
ワイヤハーネス挿通用筒部材３には、連結筒部３０の先端に拡径鍔部３５を設け、車体係止用筒部材２の連結筒部４０の先端開口４３に挿入して拡径筒部４１の内周面に拡径鍔部３５を重ねて係止するようにしている。該拡径鍔部３５に連続した連結筒部３０の外周面に螺旋凹部４２に嵌合する螺旋凸部３６を突設している。螺旋凸部３６の突出量ｘに対して螺旋凹部４２の深さはｘ−１ｍｍとし、螺旋凸部３６を螺旋凹部４２に圧接固定するようにしている。
他の構成は前記第１、第２実施形態と同様であるため、同一符号を付して説明を省略する。
【００３７】
前記グロメットでは、ワイヤハーネス挿通用筒部材３の拡径鍔部３５を車体係止用筒部材２の連結筒部４０に開口４３より挿入し、拡径筒部４１の内周面に拡径鍔部３５を重ねて係止する。この状態で、連結筒部３０、４０とが重なり、螺旋凹部４２に螺旋凸部３６を嵌合させる。屈曲筒部３１が所要方向に曲がる位置となるまでワイヤハーネス挿通用筒部材３を回転させ、螺旋凸部３６を螺旋凹部４２内に摺動させていく。屈曲筒部３１が所要方向に向いた時点で回転を停止する。かつ、この状態で外周の連結筒部４０を内周側へ押圧し螺旋凹部４２内に螺旋凸部３６を強く圧入して固定する。
これにより、ワイヤハーネス挿通用筒部材３の屈曲筒部３１の曲がり方向を無段階に調節することができる。
【００３８】
グロメットは、螺旋凹部４２に代えて環状凹部を軸線方向に間隔をあけて形成し、螺旋凸部に代えて複数の環状凸部を設け、該環状凸部を環状凹部に嵌合し、この状態で回転させて、屈曲筒部３１を所要方向に曲げるようにしている。
【００３９】
本発明は前記実施形態に限定されず、例えば、車体係止用筒部材は、ゴムまたはエラストマーからなる弾性体からなる本体に、樹脂成形品からなる樹脂インナーを組み合わせ、該樹脂インナーの貫通穴の周縁に係止する係止爪を設けた構成としてもよい。
【符号の説明】
【００４０】
１  グロメット
２  車体係止用筒部材
３  ワイヤハーネス挿通用筒部材
２０  凹部
２１  係止用突片
３０  連結筒部
３１  屈曲筒部
３２  環状係止部
３３  凸部
【図１】
0005549466.tif 000002
【図２】
0005549466.tif 000003
【図３】
0005549466.tif 000004
【図４】
0005549466.tif 000005
【図５】
0005549466.tif 000006
【図６】
0005549466.tif 000007
【図７】
0005549466.tif 000008
【図８】
0005549466.tif 000009
【図９】
0005549466.tif 000010
【図１０】
0005549466.tif 000011
【図１１】
0005549466.tif 000012
【図１２】
0005549466.tif 000013
【図１３】
0005549466.tif 000014
【図１４】
0005549466.tif 000015
【図１５】
0005549466.tif 000016